(57)【要約】【課題】誤った操作信号がプラント機器へ出力されることが阻止する。【解決手段】操作処理項目群有効判定通知手段１０は、操作手順に応じて操作処理項目が有効か否かの情報をまとめた操作処理項目群有効指標ファイル１１と、操作手順毎に入力される操作情報に対して操作処理項目を抽出する情報をまとめた操作処理項目群情報ファイル１３ａとを参照して抽出された操作処理項目が操作手順として有効のときのみ該当する操作処理項目を通知する。操作処理手段１２ａは、操作処理信号を作成して出力する。操作手順更新手段１４は、操作手順毎に有効指標を予め情報として保存する操作処理項目群手順情報ファイルから次の手順の有効指標を操作処理項目群有効指標ファイル１１へ複写する。【選択図】図１
2006331462.tif 000002
【特許請求の範囲】
【請求項１】
プラント機器へ操作信号を出力するために必要なプラント機器やスイッチ類を模擬する表示を含めた各種操作表示情報を操作手順に応じて表示する表示出力装置と、この表示出力装置に表示される前記各種操作表示に基づいてオペレータが前記操作信号を出力するプラント機器の特定や操作内容を選択して選択情報として選択入力する入力装置とを有して、この入力装置から選択入力された選択情報と予め記憶された選択情報を特定する操作特定情報とから操作する項目を操作項目として特定して対応するプラント機器を操作するプラント操作装置において、
操作項目毎に前記表示出力装置に表示される機器を模擬した操作グラフィックの表示原点と表示サイズからなる表示範囲を記憶する操作ウィンドウ表示位置サイズ記憶ファイルと、
操作項目毎に各操作項目に対応した操作入力受付座標範囲と次の操作項目番号を記憶する操作処理項目群情報ファイルと、
前記入力装置から入力した選択情報としての操作座標データが前記操作ウィンドウ表示位置サイズ記憶ファイルのどの表示範囲に含まれているか検索して得られた表示範囲を特定する情報を出力する手段と、
この手段によって検索された表示範囲を特定する情報を入力して前記操作処理項目群情報ファイルを参照して操作入力受付座標範囲から操作項目を検索抽出して前記操作信号を作成して出力すると共に、前記表示出力装置へ通知し、さらに、次の操作処理項目番号を抽出する操作処理手段と、
この操作処理手段によって抽出された次の操作処理項目番号を前記操作ウィンドウ表示位置サイズ記憶ファイルへ通知してその内容を更新する操作ウィンドウ表示手段とを備えることを特徴とするプラント操作装置。
【請求項２】
プラント機器へ操作信号を出力するために必要なプラント機器やスイッチ類を模擬する表示を含めた各種操作表示情報を操作手順に応じて表示する表示出力装置と、この表示出力装置に表示される前記各種操作表示に基づいてオペレータが前記操作信号を出力するプラント機器の特定や操作内容を選択して選択情報として選択入力する入力装置とを有して、この入力装置から選択入力された選択情報と予め記憶された選択情報を特定する操作特定情報とから操作する項目を操作項目として特定して対応するプラント機器を操作するプラント操作装置において、
予め入力装置のキーコード毎に対応づけた内部処理用キーコードを記憶するキーコード変換情報記憶ファイルと、
前記内部処理用キーコードと操作項目と操作項目に対応する操作ウィンドウ表示情報と次の操作端表示情報と操作ウィンドウ表示情報を記憶する操作処理項目群情報ファイルと、
操作ウィンドウ毎に操作ウィンドウ番号に対応する内部処理用キーコードを記憶する操作処理受付キーコード情報ファイルと、
前記入力装置からキーコードが入力されると前記キーコード変換情報記憶ファイルを参照して入力されたキーコードに対応する内部処理用キーコードを検索抽出するキーコード変換手段と、
前記操作処理項目群情報ファイルを参照して前記キーコード変換手段によって検索抽出された内部処理用キーコードによって前記操作信号を作成して出力する一方、前記内部処理用キーコードに対応する次の操作端表示情報と操作ウィンドウ表示情報を前記表示出力装置へ出力する操作処理手段と、
前記次の操作端表示情報と前記操作ウィンドウ情報とによって前記操作処理受付キーコード情報ファイルを参照して前記キーコード変換情報記憶ファイルの次のキー入力のための内部処理用キーコードを更新する操作ウィンドウ表示手段とを備えることを特徴とするプラント操作装置。
【発明の詳細な説明】
【技術分野】
【０００１】
本発明は、プラントの操作端の遠隔操作を行うプラント操作装置に関する。
【背景技術】
【０００２】
従来、ＣＲＴ等の表示出力装置と表示出力装置の座標入力装置とキー入力装置を備えたプラント操作装置では、表示出力装置に操作端への動作指示用の複数の動作指示スイッチを表示させ、オペレータが座標入力装置からこれらの表示された動作指示スイッチの選択操作の座標入力を行うようになっている。そして、プラント操作装置は表示出力装置への表示データの出力と、操作端への動作指示出力の出力データとを一つの操作で出力する操作処理項目を複数記憶させた操作処理項目群情報の中から、オペレータによって入力された座標またはキーコードである操作情報によって検索して、検索された操作処理項目に従って各出力処理を順次行っている。
【０００３】
図３２にこの種の従来のプラント操作装置のブロック図を示す。
図において、計算機３の座標入力装置座標入力手段８は、座標入力装置１からの入力座標を読込み、操作処理手段１２へその座標を通知する。キー入力装置キー入力手段９は、キー入力装置２からの入力キーコードを読込み操作処理手段１２へそのキーコードを通知する。操作処理手段１２は、通知された座標あるいはキーコードによって操作処理項目群情報ファイル１３を検索し、予め記憶されているキーコードまたは座標と一致する操作処理項目を取出し、操作処理信号を作成して動作指示データを伝送装置５を介して制御装置６へ出力し、操作端７を操作する。また、表示データを表示出力装置４へ出力する。
【発明の開示】
【発明が解決しようとする課題】
【０００４】
しかしながら、図３２に示すプラント操作装置によれば、次の種々の問題がある。
まず、第一に、従来の表示出力装置４に表示される情報に基づいて入力された操作情報は、全て受付けられそのまま操作処理されて出力され不要な操作によって誤操作がされるおそれがあった。
【０００５】
また、第二に、火力発電プラントの起動、ラブチェック、昇速、界列、並入などのどの状況でも、動作指示が行えるため、誤った動作指示を行ったことによりタービンの破損などのプラントへ多大な悪影響を与える可能性があるという問題がある。
【０００６】
また、第三に、１つの入力操作に１つの操作処理項目となるため、動作指示を行う多くのスイッチあるいはキーを必要とし、表示出力装置が複雑になり視認性および操作性が悪くなるという問題がある。
【０００７】
また、第四に、例えば、操作端が手動モードのときにのみオペレータが操作を行ってよい場合に、自動モードにて操作を行った誤操作に対して動作指示出力を行ってしまうという問題がある。
【０００８】
また、第五に、１つの操作に対して出力装置への出力および操作端への複数の動作指示出力を順次処理することがあるが、順次処理の途中にプラント状態の変化により不要な出力装置への出力および動作指示出力をバイパスさせることができないという問題がある。
【０００９】
また、第六に、従来、表示出力装置に操作端への動作指示用の複数の動作指示スイッチを表示させ、座標入力装置からこれらの表示された動作指示スイッチへの選択操作の座標入力を行い、これらの座標に対応して記憶させた表示出力装置への表示データの出力と、出力装置を介して操作端へ動作指示出力の出力データを出力するようにしている。従って、表示出力装置への表示位置あるいは表示サイズを画面に応じて変えると、動作指示スイッチの選択操作する入力座標が変わり、同一操作端にもかかわらず多数の表示情報を重複設定して用意しければならなかった。
【００１０】
また、第七に、従来、表示出力装置に操作端への動作指示用の複数の動作指示スイッチを表示させ、表示される複数のスイッチに対応させたキー入力装置のキーコードを入力して、これらのキーコードに対応して記憶させた表示出力装置への表示データの出力と、出力装置を介して操作端への動作指示出力の出力データを出力するようにしている。従って、表示出力装置への表示位置を画面に応じて変えようとすると表示位置に合わせて配したキー入力装置のキーコードが変わり、同一操作端にもかかわらず多数の表示情報を用意して設定しなければならなかった。
【００１１】
そこで、本発明は、誤操作防止によってプラントへの悪影響を回避する一方、表示出力装置の表示を操作性に優れたものとしてプラントを的確に操作できるプラント操作装置を提供することを目的とする。
【課題を解決するための手段】
【００１２】
上記目的を解決するため、本発明は、プラント機器へ操作信号を出力するために必要なプラント機器やスイッチ類を模擬する表示を含めた各種操作表示情報を操作手順に応じて表示する表示出力装置と、この表示出力装置に表示される前記各種操作表示に基づいてオペレータが前記操作信号を出力するプラント機器の特定や操作内容を選択して選択情報として選択入力する入力装置とを有して、この入力装置から選択入力された選択情報と予め記憶された選択情報を特定する操作特定情報とから操作する項目を操作項目として特定して対応するプラント機器を操作するプラント操作装置において、操作項目毎に前記表示出力装置に表示される機器を模擬した操作グラフィックの表示原点と表示サイズからなる表示範囲を記憶する操作ウィンドウ表示位置サイズ記憶ファイルと、操作項目毎に各操作項目に対応した操作入力受付座標範囲と次の操作項目番号を記憶する操作処理項目群情報ファイルと、前記入力装置から入力した選択情報としての操作座標データが前記操作ウィンドウ表示位置サイズ記憶ファイルのどの表示範囲に含まれているか検索して得られた表示範囲を特定する情報を出力する手段と、この手段によって検索された表示範囲を特定する情報を入力して前記操作処理項目群情報ファイルを参照して操作入力受付座標範囲から操作項目を検索抽出して前記操作信号を作成して出力すると共に、前記表示出力装置へ通知し、さらに、次の操作処理項目番号を抽出する操作処理手段と、この操作処理手段によって抽出された次の操作処理項目番号を前記操作ウィンドウ表示位置サイズ記憶ファイルへ通知してその内容を更新する操作ウィンドウ表示手段とを備えることを特徴とする。
【００１３】
以上のような本発明によれば、同一の操作処理項目に対応する表示出力装置上のグラフィック表示の表示位置とそのサイズを変更可能となる。従って、オペレータが操作状況に即して表示出力装置上に操作対象の表示ができるので操作効率が向上する。
【００１４】
本発明は、また、プラント機器へ操作信号を出力するために必要なプラント機器やスイッチ類を模擬する表示を含めた各種操作表示情報を操作手順に応じて表示する表示出力装置と、この表示出力装置に表示される前記各種操作表示に基づいてオペレータが前記操作信号を出力するプラント機器の特定や操作内容を選択して選択情報として選択入力する入力装置とを有して、この入力装置から選択入力された選択情報と予め記憶された選択情報を特定する操作特定情報とから操作する項目を操作項目として特定して対応するプラント機器を操作するプラント操作装置において、予め入力装置のキーコード毎に対応づけた内部処理用キーコードを記憶するキーコード変換情報記憶ファイルと、前記内部処理用キーコードと操作項目と操作項目に対応する操作ウィンドウ表示情報と次の操作端表示情報と操作ウィンドウ表示情報を記憶する操作処理項目群情報ファイルと、操作ウィンドウ毎に操作ウィンドウ番号に対応する内部処理用キーコードを記憶する操作処理受付キーコード情報ファイルと、前記入力装置からキーコードが入力されると前記キーコード変換情報記憶ファイルを参照して入力されたキーコードに対応する内部処理用キーコードを検索抽出するキーコード変換手段と、前記操作処理項目群情報ファイルを参照して前記キーコード変換手段によって検索抽出された内部処理用キーコードによって前記操作信号を作成して出力する一方、前記内部処理用キーコードに対応する次の操作端表示情報と操作ウィンドウ表示情報を前記表示出力装置へ出力する操作処理手段と、前記次の操作端表示情報と前記操作ウィンドウ情報とによって前記操作処理受付キーコード情報ファイルを参照して前記キーコード変換情報記憶ファイルの次のキー入力のための内部処理用キーコードを更新する操作ウィンドウ表示手段とを備えることを特徴とする。
【００１５】
このような態様によれば、キー入力装置に対応する表示出力装置上の操作ウィンドウの位置やそのサイズが変更可能となる。従って、オペレータの操作がし易く的確なプラント操作ができる。
【発明の効果】
【００１６】
以上説明したように本発明によれば、表示出力装置上のグラフィック表示の表示位置とそのサイズを画面毎に応じて変更されるので、一律の画面表示に比べオペレータが操作状況に即して表示出力装置上に操作対象の表示に対して操作ができ、操作がし易く、操作効率が向上する。
【００１７】
また、キー入力装置に対応する表示出力装置上の操作ウィンドウの位置を画面毎に変更されるので、オペレータの操作がし易く的確なプラント操作ができる。
【発明を実施するための最良の形態】
【００１８】
以下、本発明の実施の形態について図面を参照して説明する。
【００１９】
図１は、本発明の第１実施の形態を示すプラント操作装置のブロック図であり、図３２の従来のプラント操作装置のブロック図と同一符号は、同一部分または相当部分を示す。図１と図３２の異なる主な点は、計算機３Ａに操作処理項目群有効判定通知手段１０と操作処理項目群有効指標ファイル１１と操作手順更新手段１４と操作処理項目群手順情報ファイル１５とを追設した点である。また、操作処理手段１２と操作処理項目群情報ファイル１３の構成を異にし、操作処理手段１２ａと操作処理項目群情報ファイル１３ａとしている。
【００２０】
第１実施の形態は、座標入力装置１またはキー入力装置２から操作情報が入力したとき操作処理項目を抽出して操作手順として有効のときのみ操作処理信号を伝送装置５へ出力して誤操作を防止し、さらに、順次次の操作手順として必要な操作処理項目のみに対応する操作情報を入力する表示をさせ操作をし易くする点に特徴を有している。
【００２１】
まず、例えば、タッチスクリーンの座標入力装置１よりオペレータがタッチしたタッチ座標が入力されると、座標入力装置座標入力手段８により操作処理項目群有効判定通知手段１０へそのタッチ座標が通知される。
【００２２】
一方、キー入力装置２よりオペレータが押したキーのキーコードがキー入力装置キー入力手段９へ入力されると、操作処理項目群有効判定通知手段１０へそのキーコードが通知される。
【００２３】
操作処理項目群有効判定通知手段１０では、図２に示す処理を実行し、まず、操作処理項目群グループ番号ｎ＝０として順次ｎ＞＝Ｎまで現在の操作手順として図３に示す操作処理項目群有効指標ファイル１１を参照してｇｎ＝１（操作処理項目群ｎは有効）または無効ｇｎ＝０（操作処理項目群ｎは無効）を判定する（Ｓ１〜Ｓ４）。
【００２４】
この判定で、図３に示す操作処理項目群有効指標ファイル１１の中に有効な操作処理項目群があると、有効な操作処理項目群に対して次に図４に示す操作処理項目群情報ファイル１３ａが検索され、入力されたタッチ座標またはキーコードに対応する操作処理項目が抽出される（Ｓ５〜Ｓ１０）。すなわち、操作処理項目群情報ファイル１３ａは、操作処理項目群グループ番号１〜ｎに対して各操作処理項目番号１〜ｍがあり、各操作処理項目にはその操作処理項目を表示出力装置４へ模擬表示する座標入力範囲（図示ｘｒｕ，ｙｒｕ，ｘｌｄ，ｙｌｄ）およびキーコード（図示ｋｅｙ）と表示データ先と動作指示出力先とが定義され、さらに、表示データと動作出力データ等が定義されている。
【００２５】
操作処理項目群有効判定通知手段１０は、図３に示す有効な操作処理項目群について図４に示す操作処理項目群情報ファイル１３ａの座標入力範囲またはキーコードについてタッチ座標またはキーコードに対応するものがあるか否か順次検索して対応するものがあればその有効な操作処理項目群グループ番号ｎと操作処理項目番号ｍを抽出して操作処理手段１２ａへ通知する。
【００２６】
これによって、タッチ座標またはキーコードから特定される操作処理項目群ｇｍが図３に示す操作処理項目群有効指標ファイル１１に定義される無効の場合には、操作処理手段１２ａへの出力が阻止される。
【００２７】
操作処理手段１２ａでは、通知された操作処理項目群グループ番号ｎと操作処理項目番号ｍが示す操作処理項目の情報を図４に示す操作処理項目群情報ファイル１３ａから取出し、ここに定義された表示データと動作指示出力データに従って、表示出力装置４へ表示データの出力を行い伝送装置５を介して操作信号として動作指示出力データを制御装置６から操作端７へ出力を行う。
【００２８】
操作処理手段１２ａでは、表示データと動作指示出力データの出力処理が完了すると、通知された操作処理項目群グループ番号ｎと操作処理項目番号ｍを操作手順更新手段１４へ通知する。
【００２９】
次に、操作手順更新手段１４によって操作処理手段１２ａで処理した操作処理項目の次の操作として受付ける操作処理項目群のグループ番号を図５に示す操作処理項目群手順情報ファイル１５を参照して操作処理項目群有効指標ファイル１１へ設定する。すなわち、図５に示す操作処理項目群手順情報ファイル１５には、操作処理項目群グループ０〜ｎまでの手順に対する「有効（１）」「無効（０）」と操作処理項目０〜ｍまでの手順に対する「有効（１）」「無効（０）」が階層的に設定されている。
【００３０】
図示するｇｎｍｎ＝１：操作処理項目群グループ番号ｎの操作処理項目番号ｍの次の手として操作処理項目群グループ番号ｎを有効とする。
ｇｎｍｎ＝０：操作処理項目群グループ番号ｎの操作処理項目番号ｍの次の手として操作処理項目群グループ番号ｎを無効とする。
但し、ｎ：操作処理項目群グループ番号＝０，１，２，３・・・・ｍ：操作処理項目番号 ＝０，１，２，３・・・・を示している。
【００３１】
このように、操作処理項目群手順情報ファイル１５には、各操作処理項目に次の操作処理項目群グループの有効グループが定義されており、通知された操作処理項目群グループ番号ｎと操作処理項目番号ｍに対応した操作処理項目の定義情報が、操作手順更新手段１４によって操作処理項目群有効指標ファイル１１へ複写される。
【００３２】
例えば、図６に示すようにステップ１の表示出力装置４上には操作処理項目群グループ番号ｎと操作処理項目番号ｍとして（０−０），（０−１），（０−２）が表示されている。これに対して操作処理項目群有効指標ファイル１１には、最上段から有効，無効，無効，無効が記憶され、最上段の操作処理項目群番号「０」は有効となっている。従って、図示するように（０−２）が操作されると操作処理項目群有効判定通知手段１０によって有効な操作処理項目群グループ番号ｎとして処理され、操作処理項目群情報ファイル１３ａが参照されて操作処理項目群グループ番号ｎと操作処理項目番号ｍが特定され抽出される。この場合に操作処理項目群グループ番号ｎとして「２」が入力されれば、無効として処理される。
【００３３】
ステップ１で（０−２）が操作されると操作処理項目群情報ファイル１３ａの（０−２）に対応する操作処理項目群グループ番号ｎが有効，有効，無効，無効と図示右端となり、これがステップ２に対する操作処理項目群有効指標ファイル１１へ複写される。ステップ２の表示出力装置４の画面では、操作，起動，停止が表示され、操作処理項目群有効指標ファイル１１では、最上段から有効，有効，無効，無効となっている。二段目は有効となっている。従って、（１−０）が操作されると有効として処理される。そして、（１−０）に対応して次の処理の有効指標として有効，無効，有効，無効が記憶されており、これがステップ３として操作処理項目群有効指標ファイル１１へ複写される。
【００３４】
以上のように第１実施の形態によれば、操作処理項目群有効指標ファイル１１の内容を操作処理項目群手順情報ファイル１５に定義され操作手順にて更新し、さらに、操作処理項目群情報ファイル１３ａのように操作処理項目をグループ化して、動作指示を行う操作手順の定義としており、操作手順外の動作指示を行うキーあるいはスイッチが入力されても動作指示出力を操作端へ出力し、表示出力装置４への誤表示をなくすことができ、誤操作の防止ができる。
【００３５】
なお、他の実施の形態として伝送装置をプロセス出力装置として直接に操作端へ動作指示出力を出力する場合にも適用できる。
【００３６】
図７は本発明の第２実施の形態を示すプラント操作装置のブロック図であり、図３２に示す従来のプラント操作装置のブロック図と同一符号は、同一部分または相当部分を示す。図７と図３２との異なる主な点は、計算機３Ｂに操作処理項目群通知手段１０ａと実行条件判定手段１７と操作処理項目実行条件情報ファイル１６と実行条件不成立処理項目群情報ファイル１８とプロセス状態記憶ファイル２０とプロセス状態入力手段１９とを追設し、プロセス入出力装置２１への出力による警告灯２２とを追設した点である。また、操作処理手段１２と操作処理項目群情報ファイル１３の構成を異にし、操作処理手段１２ａと操作処理項目群情報ファイル１３ａとしたことである。
【００３７】
第２実施の形態は、プラントの状態に応じて実行条件を判定してプラントへ悪影響を与えないように操作処理信号を出力する点に特徴を有している。
【００３８】
まず、キー入力装置２の「減」キーと「増」キーのキーコードがキー入力装置キー入力手段９へ入力されると、操作処理項目群通知手段１０ａへ入力したキーコードが通知される。一方、ＣＲＴなどの表示出力装置４に付けたタッチスクリーンなどの座標入力装置１のタッチ座標が入力され、操作処理項目群通知手段１０ａへ入力した座標が通知される。
【００３９】
これによって、操作処理項目群通知手段１０ａが図８に示すファイル構成の操作処理項目群情報ファイル１３ａの中から通知された座標あるいはキーコードに対応する操作処理項目を検索し、検索された操作処理項目番号を実行条件判定手段１７へ通知する。
【００４０】
この図８に操作処理項目群情報ファイル１３ａには、座標入力範囲としての座標データまたはキーに対応する操作処理項目０〜ｍが設けられ、それぞれの操作処理項目に表示出力装置４への表示データ、操作端７への動作表示出力データが記憶されている。続いて、操作処理項目群通知手段１０ａから操作処理項目番号ｍが通知されると、実行条件判定手段１７では、図９に示す処理を実行し実行条件の論理演算がされる（Ｓ１１）。
【００４１】
まず、図１０に示す操作処理項目実行条件情報ファイル１６から通知された操作処理項目番号ｍに対応する実行条件論理演算子（図示ＬＧＣ）、実行条件成立値（図示ＳＴＥ）、実行条件入力項目１〜ｈを取込み、さらに、プロセス状態記憶ファイル２０からプロセス状態を取込んで実行条件の論理演算がされる（Ｓ１１）。
【００４２】
例えば、図１１に示すように実行条件入力項目１〜ｈに対してプロセス状態記憶ファイル２０から取込んだプロセス状態によって論理演算子（図示ＬＧＣ，ＡＮＤ，ＯＲ，ＸＯＲ等）について演算がされ、得られた結果ＡＮＳと実行条件成立値ＳＴＥとが一致するか否かが判定される（Ｓ１２）。この結果、一致する場合、実行条件成立とし、不一致の場合、実行条件不成立として操作処理項目番号ｍと共に、操作処理手段１２ａへ通知される（Ｓ１３〜Ｓ１５）。
【００４３】
操作処理手段１２ａは、通知された実行条件の論理演算の結果が実行条件値と一致する場合に、通知された操作処理項目番号ｍについて操作処理項目群情報ファイル１３ａを参照する。そして、そこに定義された操作の受付結果を表示出力装置４へ表示する出力データの出力処理と操作端への動作指示出力を行うための出力データの出力処理を伝送装置５を介して制御装置６へ伝え制御装置６より操作端７への動作指示の出力を行う。
【００４４】
また、通知された実行条件の論理演算の結果が実行条件値と一致しない場合に、通知された操作処理項目番号ｍに対応した図１２に示す実行条件不成立処理項目群情報ファイル１８から操作処理項目を参照する。そして、ここに定義した誤操作の警報メッセージを表示出力装置４へ表示する出力データあるいは、誤操作の警告灯２２をプロセス入出力装置２１を介して警告灯２２を点灯させる出力データに従って、警報メッセージの表示あるいは警告灯２２の点灯を行いオペレータへ誤操作を伝える。
【００４５】
このように第２実施の形態によれば、予め定められた実行条件とプラント状態に応じて論理演算がされ操作信号が出力され、プラント機器の操作をしない方が適切な場合には操作が禁止される。従って、無用な操作によってプラントへの悪影響を与えることが阻止できる。
【００４６】
図１３は、本発明の第３実施の形態を示すプラント操作装置のブロック図であり、図３２の従来のプラント操作装置のブロック図と同一符号は、同一部分または相当部分を示す。図１３と図３２との異なる主な点は、計算機３Ｃに操作処理バイパス判定手段２３と操作処理バイパス条件情報ファイル２４とプロセス状態記憶ファイル２０とプロセス状態入力手段１９とを追設した点である。また、操作処理手段１２と操作処理項目群情報ファイル１３の構成を異にし、操作処理手段１２ａと操作処理項目群情報ファイル１３ａとしたことである。
【００４７】
第３実施の形態は、入力された操作処理項目が予め定められたバイパス条件に該当するとき処理を中止して不要の操作を阻止する点に特徴を有する。
【００４８】
まず、キー入力装置２からのオペレータが入力したキーのキーコードがキー入力装置キー入力手段９へ入力され、さらに、操作処理手段１２ａへ入力したキーコードが通知される。一方、ＣＲＴなどの表示出力装置４に付けたタッチスクリーンなどの座標入力装置１をオペレータがタッチしたタッチ座標が座標入力装置座標入力手段８へ入力し、入力した座標が操作処理手段１２ａへ通知される。
【００４９】
操作処理手段１２ａでは、図１４に示す構成の操作処理項目群情報ファイル１３ａの中から通知された座標あるいはキーコードの操作処理項目を検索し、検索により得られた操作処理項目の操作処理データ０〜ｉについて、操作処理項目番号ｍと操作処理データ番号を操作処理バイパス判定手段２３へ通知し、操作処理バイパス判定手段２３からの判定結果の通知を待つ。
【００５０】
この図１４に示す操作処理項目群情報ファイル１３ａは、操作処理項目０〜ｍに対して各座標入力範囲とキーコードと操作処理データ０〜ｉとが記憶されている。
【００５１】
次に、操作処理バイパス判定手段２３は、図１５に示す処理を行い。まず、図１６に示す操作処理バイパス条件情報ファイル２４から通知された操作処理項目番号ｍと操作処理データ番号に対応するバイパス論理演算子（図示ＬＧＣ）とバイパス成立値（図示ＳＴＥ）とバイパス条件入力項目１〜ｈとを取込み、さらに、プロセス状態記憶ファイル２０からプロセス状態を取込みバイパス条件の論理演算を実行する（Ｓ２１，Ｓ２２）。
【００５２】
例えば、図１７に示すようにバイパス条件入力項目１〜ｈに対応するプロセス状態をプロセス状態記憶ファイル２０からそれぞれ取込んで、論理演算子（図示ＬＧＣ，ＡＮＤ，ＯＲ，ＸＯＲ条件なし等）による演算を行う。
【００５３】
この結果、論理演算結果（ＡＮＳ）とバイパス成立値（ＳＴＥ）とが一致するか否か判定される（Ｓ２３）。そして、その結果が一致した場合にバイパス条件成立として、不一致の場合および条件なしの場合にバイパス条件不成立として、操作処理手段１２ａへ通知する（Ｓ２４〜Ｓ２６）。
【００５４】
次に、操作処理手段１２ａでは、図１８に示す処理を行い、操作処理バイパス判定手段２３の判定結果の通知を受けると、その結果がバイパス条件成立であれば、操作処理バイパス条件の判定の要求を行った操作処理データの処理を行わずに、次の操作処理データのバイパス条件の判定の要求を操作処理バイパス判定手段２３へ行う（Ｓ３１，Ｓ３６）。
【００５５】
また、操作処理バイパス判定手段２３から通知された操作処理バイパス条件の判定結果がバイパス条件不成立であれば、操作処理データの処理を実行し、表示出力装置４へ表示出力データの出力あるいは操作端７へ動作指示出力データを伝送装置５を介して制御装置６から出力する（Ｓ３２〜Ｓ３５，Ｓ３７）。
【００５６】
具体例で説明すると、手動モード、自動モード、カスケードモードの３つの制御モードを持つ操作端において、手動モードのときに限り「起動」の動作指示を出力することができる「起動」操作スイッチを自動モードで操作したとする。このような場合、操作処理項目群情報ファイル１３ａの「起動」操作の操作処理データ０に「起動」操作スイッチの操作受付の指標の表示を行う表示出力データ、操作処理データ１に操作端への「起動」動作指示出力データ、操作処理データ２に「起動」操作スイッチの操作受付の指標の表示を消去する表示出力データ設定する。
【００５７】
そして、操作処理バイパス条件情報ファイル２４の「起動」の操作処理データ０〜２に対応した操作処理バイパス条件を操作処理データ０は操作処理バイパス条件なしとして、操作処理データ１は操作処理バイパス条件を自動モードおよびカスケードモードのときにバイパスするようにバイパス条件入力項目１に自動モード、バイパス条件入力項目２にカスケードモードとして論理演算子にＯＲ（和）にバイパス条件成立値に「１」を設定しておく。そして、操作処理データ２は操作処理バイパス条件なしと設定しておく。このようにすれば、操作端の制御モードが自動モードであるときには、オペレータが操作したスイッチの受付の指標が表示され、その後に消去されるが、「起動」の動作指示の出力は行わない。
【００５８】
また、他の実施の形態として操作処理データ毎にバイパス条件を設定し、動作指示の出力を行ってはいけない状態になったときに動作指示の通信を止めると共に、もし、操作端の状態が元の動作指示の出力を行ってもよい状態になったときに、誤った動作指示の出力の通信を途中から始めないようにすることができる。
【００５９】
図１９は、本発明の第４実施の形態を示すプラント操作装置のブロック図であり、図３２に示す従来のプラント操作装置のブロック図と同一符号は、同一部分または相当部分を示す。図１９と図３２との異なる主な点は、計算機３Ｄに操作処理中断判定手段２５と操作処理中断条件情報ファイル２６とプロセス状態記憶ファイル２０とプロセス状態入力手段１９とを追設した点である。また、操作処理手段１２と操作処理項目群情報ファイル１３の構成を異にし、操作処理手段１２ａと操作処理項目群情報ファイル１３ａとしたことである。
【００６０】
本発明の第４実施の形態は、入力された操作情報に対応する操作処理項目の処理毎に中断条件を判断して中断条件成立時に操作処理項目の表示処理や出力処理を中断して不要の処理をしない点に特徴を有する。
【００６１】
まず、キー入力装置２からオペレータが入力したキーコードがキー入力装置キー入力手段９へ入力され、操作処理手段１２ａへ入力したキーコードが通知される。一方、ＣＲＴなどの表示出力装置４に付けたタッチスクリーンなどの座標入力装置１をオペレータがタッチしたタッチ座標が座標入力装置座標入力手段８へ入力され、入力した座標が操作処理手段１２ａへ通知される。
【００６２】
次に、操作処理手段１２ａでは、図２０に示す前半の処理を実行し、図１４に示す構成の操作処理項目群情報ファイル１３ａの中から通知された座標あるいはキーコードの操作処理項目を検索する。そして、検索により得られた操作処理項目番号ｍと操作処理データ番号とを操作処理中断判定手段２５へ通知し、操作処理中断判定手段２５からの判定結果の通知を待つ（Ｓ４１〜Ｓ４４）。
【００６３】
操作処理中断判定手段２５では、図２１に示す処理を行い、通知された操作処理項目番号ｍに対応した操作処理項目を中断するか否かを判断するための論理条件と条件入力と実行条件値を記憶させた図２２の構成の操作処理中断条件情報ファイル２６から取込む。さらに、条件入力となるプロセス状態をプロセス状態記憶ファイル２０から取込む。そして、中断条件の論理演算を実行する（Ｓ５１，Ｓ５２）。
【００６４】
例えば、図２３に示すように中断条件入力項目１〜ｃに対応するプロセス状態をプロセス状態記憶ファイル２０から取込み、中断条件の論理演算を中断条件入力項目１〜ｃを論理演算子（ＬＧＣ）にて論理演算し、その論理演算結果（ＡＮＳ）が中断条件成立値（ＳＴＥ）に一致するか否かを判定する（Ｓ５３）。そして、その結果が一致した場合に中断条件が成立として、不一致した場合および条件なしの場合に中断条件不成立として、操作処理手段１２ａへ通知する（Ｓ５４〜Ｓ５６）。
【００６５】
次に、操作処理手段１２ａは、図２０に示す後半の処理を行い、操作処理中断条件の判定結果の通知を受けると、その結果が中断条件成立であれば操作処理中断条件の判定の要求を行った操作処理データの処理以降を行わずに操作処理項目の処理を中断し終了する（Ｓ４５）。そして、次のオペレータ操作による操作処理項目の通知による起動を待つ。
【００６６】
また、操作処理中断判定手段２５から通知された操作処理中断条件の判定結果が中断条件不成立であれば、操作処理データの処理を実行し、表示出力装置４へ表示出力データの出力あるいは操作端７へ動作指示出力データを伝送装置５を介して制御装置６から出力する。そして、操作処理中断判定の結果が中断条件不成立の間、順次の操作処理データの処理を操作処理データが終了するまで行う（Ｓ４５〜Ｓ４７）。
【００６７】
例えば、オペレータが複数の操作入力して、対象の操作端７とその出力値を制御装置６に与えている間にプロセスの状態が変化し動作指示出力を行ってはならない状態となったときに操作処理項目の処理を中断することができる。
【００６８】
図２４は、本発明の第５実施の形態を示すプラント操作装置のブロック図であり、図３２に示す従来のプラント操作装置のブロック図と同一符号は、同一部分または相当部分を示す。図２４と図３２との異なる主な点は、計算機３Ｅに操作ウィンドウ表示手段２７と操作ウィンドウ表示位置サイズ記憶ファイル２８と相対座標変換手段２９とを追設した点である。また、操作処理手段１２と操作処理項目群情報ファイル１３の構成を異にし、操作処理手段１２ａと操作処理項目群情報ファイル１３ａとしたことである。
【００６９】
第５実施の形態は、表示出力装置４に表示されるプラント機器を模擬するグラフィックの表示原点と表示サイズを複数記憶しておいて表示出力装置４に表示されるグラフィックの位置と大きさを変更可能とすると点に特徴を有する。
【００７０】
まず、ＣＲＴなどの表示出力装置４に付けたタッチスクリーンなどの座標入力装置１をオペレータがタッチした絶対座標が座標入力装置座標入力手段８へ入力され、入力した絶対座標が相対座標変換手段２９へ通知される。
【００７１】
相対座標変換手段２９では、通知された絶対座標（表示出力装置４上の座標）によって図２５に示す構成の操作ウィンドウ表示位置サイズ記憶ファイル２８の各操作ウィンドウの表示範囲に含まれる記憶エリアＩｎｄｅｘを検索する。
【００７２】
すなわち、相対座標変換手段２９は図２５に示す記憶エリアＩｎｄｅｘ０から順次記憶エリアＩｎｄｅｘｗに対して各操作ウィンドウ表示範囲に通知された絶対座標が入るかどうかが検索され、操作ウィンドウの表示範囲に絶対座標が入るものがあれば、操作処理項目群番号が検索され、さらに、次のように絶対座標から相対座標に変換する。ここで、絶対座標とは、表示出力装置４の画面の左下端を原点（０，０）とする座標と定義し、相対座標とは検索された操作処理項目群番号の操作ウィンドウについての表示範囲の左下端を原点（０，０）とする座標と定義する。すなわち、検索したＩｎｄｅｘの情報を用いて、次のように式（１）および式（２）によって絶対座標を相対座標に変換する。
【００７３】
原点（ｘ，ｙ）＝（０，０）を左下とした場合、 相対ｘ座標＝（絶対ｘ座標−ｘ左下）ｘサイズ／（ｘ右上−ｘ左下）
・・・・（１）
相対ｙ座標＝（絶対ｙ座標−ｙ左下）ｙサイズ／（ｙ右上−ｙ左下）
・・・・（２）
【００７４】
変換した相対座標と検索した操作ウィンドウ表示位置サイズ記憶ファイル２８の記憶エリアＩｎｄｅｘとが操作処理手段１２ａへ通知される。一方、操作ウィンドウ表示位置サイズ記憶ファイル２８の各操作ウィンドウの表示範囲に含まれる記憶エリアＩｎｄｅｘを検索した結果どこにも含まれないときには、絶対座標と操作ウィンドウ表示位置サイズ記憶ファイル２８の記憶エリア範囲外である旨が操作処理手段１２ａへ通知される。
【００７５】
操作処理手段１２ａは、操作ウィンドウ表示位置サイズ記憶ファイル２８の記憶エリアＩｎｄｅｘと相対座標を受取ったときは、通知された記憶エリアＩｎｄｅｘに記憶されている操作処理項目群番号と図２６に示す構成の操作処理項目群情報ファイル１３ａの操作処理項目番号の情報の中から通知された相対座標の操作処理項目を検索し、そこに定義された表示データの表示出力装置４への表示出力および動作指示出力データを伝送装置５を介して制御装置６へ伝え、操作端７へ動作指示出力を制御装置６から行う。
【００７６】
操作ウィンドウ表示手段２７は、表示出力装置４へ通知された操作ウィンドウの表示範囲へ表示サイズを変換し表示出力する。
【００７７】
操作ウィンドウ表示手段２７は、操作ウィンドウ表示データ表示範囲と操作ウィンドウ表示位置サイズ記憶ファイル２８の記憶エリアＩｎｄｅｘを受け操作ウィンドウ表示データがないときには、通知された操作ウィンドウ表示位置サイズ記憶ファイル２８の記憶エリアＩｎｄｅｘの操作ウィンドウの表示範囲を通知された操作ウィンドウ表示データ表示範囲に記憶し直し、その操作ウィンドウ表示データ表示範囲に従って対象の操作ウィンドウを移動あるいは表示サイズの変更をする。
【００７８】
図２７は、本発明の第６実施の形態を示すプラント操作装置のブロック図であり、図３２に示す従来のプラント操作装置のブロック図と同一符号は、同一部分または相当部分を示す。図２７と図３２と異なる主な点は、計算機３Ｆに操作ウィンドウ表示手段２７と操作処理受付キーコード情報ファイル３０とキーコード変換情報記憶ファイル３１とキーコード変換手段３２とを追設した点である。また、操作処理手段１２と操作処理項目群情報ファイル１３の構成を異にし、操作処理手段１２ａと操作処理項目群情報ファイル１３ａとしたことである。
【００７９】
第６実施の形態は、表示出力装置４に表示される機器を模擬する操作ウィンドウの表示位置を入力装置のキーに対応させて変更可能とする点に特徴を有する。
【００８０】
まず、キー入力装置２からオペレータにより入力されると、キー入力装置キー入力手段９は、キーコードを入力し、入力したキーコードをキーコード変換手段３２へ通知する。なお、キー入力装置２の各キーのキーコードは図２９に示したキー番号と同一とする。
【００８１】
キーコード変換手段３２は、キーコードの通知を受けると、図２８に示すキーコード変換情報記憶ファイル３１に設定されている内部処理用キーコードを通知されたキーコードから求めて操作処理手段１２ａに通知する。
【００８２】
操作処理手段１２ａは、図３０に示す操作処理項目群情報ファイル１３ａの各操作処理項目の内部処理用キーコードと通知された内部処理用キーコードとを比較し、一致する操作処理項目を検索する。そして、検索された操作処理項目番号と操作ウィンドウタイプ番号と操作ウィンドウ表示位置と操作ウィンドウ表示データとを操作ウィンドウ表示手段２７へ通知する。
【００８３】
操作ウィンドウ表示手段２７は、通知された操作ウィンドウ表示データが存在すれば、通知された操作ウィンドウ表示位置の示す位置を原点に表示出力装置４へ操作ウィンドウを表示する。なお、操作ウィンドウとは、操作用グラフィックスのことである。操作ウィンドウ表示データが存在しなければ現在表示中の操作ウィンドウを通知された操作ウィンドウ表示位置へ移動表示する。さらに、操作ウィンドウ表示手段２７は、 操作処理受付キーコード情報ファイル３０の中から通知された操作ウィンドウタイプ番号に従って、操作処理受付キーコード情報ファイル３０を検索して得られる内部処理用キーコードをキーコード変換情報記憶ファイル３１に記憶する。また、操作ウィンドウタイプと操作ウィンドウ表示位置が設定されていない場合に表示データを表示出力装置４へ出力し、表示データが設定されていないときには出力は勿論行わない。そして、動作指示出力データが設定されているときにはその動作指示出力データを伝送装置５を介して制御装置６へ伝え操作端７へ制御装置６から動作指示信号を操作端７へ出力する。
【００８４】
例えば、図２８に示す構成のキーコード変換情報記憶ファイル３１には、キー入力装置２キー０〜キー５５に対応して内部処理用キーコードのエリアがある。図３０に示す構成の操作処理項目群情報ファイル１３ａには、操作処理項目０に内部処理キーコードを０、操作ウィンドウタイプ番号を１、操作ウィンドウ表示位置を３、操作ウィンドウ表示データに操作ウィンドウの表示出力データを設定し、操作処理項目１に内部処理キーコードを１、操作ウィンドウタイプを１、操作ウィンドウ表示位置を５、操作ウィンドウ表示データをなしと設定しておく。さらに、操作処理項目２に内部処理キーコードを２、操作ウィンドウタイプをなし、操作ウィンドウ表示位置をなし、操作ウィンドウ表示データをなし、表示データを起動操作受付表示データとして設定し、動作指示出力データを操作端７への起動信号出力データとして設定しておく。そして、操作処理項目３に内部処理キーコードを３、操作ウィンドウタイプをなし、操作ウィンドウ表示位置をなし、操作ウィンドウ表示データをなし、表示データを停止操作受付表示データとして設定し、動作指示出力データを操作端７への停止信号出力データとして設定しておく。
【００８５】
そして、図３１に示す構成の操作処理受付キーコード情報ファイル３０には、操作ウィンドウタイプ１に使用Ｉｎｄｅｘ数を４、Ｉｎｄｅｘ０を０、Ｉｎｄｅｘ１を１、Ｉｎｄｅｘ２を２、Ｉｎｄｅｘ３を３と設定しておく。
【００８６】
さらに、操作処理項目群情報ファイル１３ａの操作ウィンドウ表示位置のデータは、図２９に示すようにキー入力装置２のキー０，４，８，１２，１６，２０，２４，２８，３２，３６，４０，４４，４８，５２の配列された位置に合わせて、表示出力装置４の０，１，２，３，４，５，６，７，８，９，１０，１１，１２，１３の各点を表示位置の原点とする。
【００８７】
この構成で、キーコードの０に対応する内部処理用キーコード０により操作処理項目群情報ファイル１３ａが検索されると、操作処理項目０の内部処理用キーコード０と一致し、操作処理項目０を抽出し、この操作処理項目０には、前述したように操作ウィンドウタイプに１と操作ウィンドウ表示位置に３が設定してあるとする。操作ウィンドウタイプ番号１と操作ウィンドウ表示位置３と操作ウィンドウ表示データとが操作ウィンドウ表示手段２７へ通知される。また、動作指示出力データは設定されていないので、ここでは、操作端７への動作指示出力の処理は行わない。
【００８８】
ここでは、通知された操作ウィンドウタイプが１、操作ウィンドウ表示位置が３、操作ウィンドウ表示データが存在するので、操作ウィンドウを操作ウィンドウ表示位置３が示す位置より表示し、操作処理受付キーコード情報ファイル３０の操作ウィンドウタイプ番号の１の情報に従って、使用Ｉｎｄｅｘ数の４つ分のＩｎｄｅｘ０からＩｎｄｅｘ３の内部処理用キーコードの０，１，２，３をキーコード変換情報記憶ファイル３１の操作ウィンドウ表示位置の３に対応したキー入力装置キー１２からのキー入力装置キー１２，１３，１４，１５に記憶させる。（図２９に示すように操作ウィンドウ表示位置の３に対応するキー入力装置キー１２，１３，１４，１５に該当する）
【００８９】
次に、キー入力装置２のキー１４がオペレータにより入力されたとき、キー入力装置キー入力手段９は、キーコードの１４を入力し、このキーコードをキーコード変換手段３２へ通知する。
【００９０】
キーコード変換手段３２は、キーコードの１４を通知されると、キーコード変換情報記憶ファイル３１のキー入力装置キー１４に記憶されている内部処理用キーコードの２をキーコードとして操作処理手段１２ａへ通知する。
【００９１】
操作処理手段１２ａは、通知されたキーコードの２で操作処理項目群情報ファイル１３ａを検索すると、操作処理項目の内部処理用キーコードと一致し、操作処理項目２を検索することができる。そして、この操作処理項目２には、操作ウィンドウタイプと操作ウィンドウ表示位置が未設定であるので、表示データの起動操作受付表示データを表示出力装置４へ出力する。そして、動作指示出力データの起動信号出力データを伝送装置５を介して制御装置６へ伝え、操作端７へ制御装置６から起動指示信号を操作端７へ出力する。
【００９２】
次に、キー入力装置２のキー１３がオペレータにより入力されたとき、キー入力装置キー入力手段９は、キーコードの１３を入力し、このキーコードをキーコード変換手段３２へ通知する。キーコード変換手段３２は、キーコードの１３を通知されると、キーコード変換情報記憶ファイル３１のキー入力装置キー１３に記憶されている内部処理用キーコードの１をキーコードとして操作処理手段１２ａへ通知する。
【００９３】
操作処理手段１２ａは、内部処理用キーコードの１が通知されたので、このキーコード１で操作処理項目群情報ファイル１３ａを検索すると、操作処理項目１の内部処理用キーコードと一致し、操作処理項目１を検索する。そして、この操作処理項目１には、操作ウィンドウタイプ１と操作ウィンドウ表示位置に５が設定してあるので、操作ウィンドウタイプと操作ウィンドウ表示位置と操作ウィンドウ表示データを操作ウィンドウ表示手段２７へ通知する。また、動作指示出力データは設定されていないので、ここでは、操作端７への動作指示出力の処理は行わない。
【００９４】
操作ウィンドウ表示手段２７は、操作ウィンドウ表示データが存在しないので、現在表示中の操作ウィンドウを通知された操作ウィンドウ表示位置の５の表示位置を原点として移動表示する。そして、操作処理受付キーコード情報ファイル３０の操作ウィンドウタイプの１の情報に従って、使用Ｉｎｄｅｘ数の４つ分のＩｎｄｅｘ０からＩｎｄｅｘ３の内部処理用キーコードの０，１，２，３をキーコード変換情報記憶ファイル３１の操作ウィンドウ表示位置の５に対応したキー入力装置キー番号のキー入力装置キー２０からのキー入力装置キー２０，２１，２２，２３に記憶させる（図２９に示すように操作ウィンドウ表示位置の５に対応するキー入力装置キー２０〜２３に該当する）。
【００９５】
次に、キー入力装置２のキー２２がオペレータにより入力されたとき、キー入力装置キー入力手段９は、キーコードの２２を入力し、このキーコードをキーコード変換手段３２へ通知する。キーコード変換手段３２は、キーコードの２２を通知されると、キーコード変換情報記憶ファイル３１のキー入力装置キー２２に記憶されている内部処理用キーコードの２をキーコードとして操作処理手段１２ａへ通知する。
【００９６】
操作処理手段１２ａは、通知されたキーコードの２で操作処理項目群情報ファイル１３ａを検索すると、操作処理項目２の内部処理用キーコードと一致し、操作処理項目２を検索することができる。そして、この操作処理項目２には、操作ウィンドウタイプと操作ウィンドウ表示位置が未設定であるので、表示データの起動操作受付表示データを表示出力装置４へ出力する。そして、動作指示出力データの起動信号出力データを伝送装置５を介して制御装置６へ伝え、制御装置６から起動指示信号を操作端７へ出力する。
【００９７】
このように第６実施の形態によれば、予め入力装置のキーコード毎に対応づけた内部処理用キーコードをキーコード変換情報記憶ファイルへ記憶させ、内部処理用キーコードと操作処理項目と操作処理項目に対応する操作ウィンドウ表示情報と操作端への出力情報と次の操作端情報とを記憶する操作処理項目群情報ファイルと、操作ウィンドウ毎に操作ウィンドウ番号に対応する内部処理用キーコードを記憶する操作処理受付キーコード情報ファイルと、入力装置からキーコードが入力されるとキーコード変換情報記憶ファイルを参照して入力されたキーコードに対応する内部処理用キーコードを検索抽出するキーコード変換手段と、操作処理項目群情報ファイルを参照してキーコード変換手段によって検索抽出された内部処理用キーコードによって操作処理信号を作成して出力する一方、内部処理用キーコードに対応する次の操作端表示情報と操作ウィンドウ表示情報を表示出力装置へ出力する操作処理手段と、次に操作端表示情報と操作ウィンドウ情報とによって操作処理受付キーコード情報ファイルを参照してキーコード変換情報記憶ファイルの次のキー入力のための内部処理用キーコードを更新する操作ウィンドウ表示手段とを設けるようにしたので、キー入力装置に対応する表示出力装置上の操作ウィンドウの位置を画面毎に変更されるので、オペレータの操作がし易く的確なプラント操作ができる。
【図面の簡単な説明】
【００９８】
【図１】本発明の第１実施の形態を示すプラント操作装置の構成図である。
【図２】図１の操作処理項目群有効判定通知手段の処理手順を示すフローチャートである。
【図３】図１の操作処理項目群有効指標ファイルの構成図である。
【図４】図１の操作処理項目群情報ファイルの構成図である。
【図５】図１の操作処理項目群手順情報ファイルの構成図である。
【図６】図１の操作処理項目群有効指標ファイルの更新および設定を示す説明図である。
【図７】本発明の第２実施の形態を示すプラント操作装置の構成図である。
【図８】図７の操作処理項目群情報ファイルの構成図である。
【図９】図７の実行条件判定手段の処理手順を示すフローチャートである。
【図１０】図７の操作処理項目実行条件情報ファイルの構成図である。
【図１１】図９のフローチャートの実行条件の論理演算を示した図である。
【図１２】図７の実行条件不成立処理項目群情報ファイルの構成図である。
【図１３】本発明の第３実施の形態を示すプラント操作装置の構成図である。
【図１４】図１３の操作処理項目群情報ファイルの構成図である。
【図１５】図１３の操作処理バイパス判定手段の処理手順を示すフローチャートである。
【図１６】図１３の操作処理バイパス条件情報ファイルの構成図である。
【図１７】図１５のフローチャートのバイパス条件の論理演算を示した図である。
【図１８】図１３の操作処理手段の処理手順を示すフローチャートである。
【図１９】本発明の第４実施の形態を示すプラント操作装置の構成図である。
【図２０】図１９の操作処理手段の処理手順を示すフローチャートである。
【図２１】図１９の操作処理中断判定手段の処理手順を示すフローチャートである。
【図２２】図１９の操作処理項目実行条件情報ファイルの構成図である。
【図２３】図２１のフローチャートの中断条件の論理演算を示した図である。
【図２４】本発明の第５実施の形態を示すプラント操作装置の構成図である。
【図２５】図２４の操作ウィンドウ表示位置サイズ記憶ファイルの構成図である。
【図２６】図２４の操作処理項目群情報ファイルの構成図である。
【図２７】本発明の第６実施の形態を示すプラント操作装置の構成図である。
【図２８】図２７のキーコード変換情報記憶ファイルの構成図である。
【図２９】図２７のキー入力装置のキー配列と表示出力装置の操作ウィンドウの表示位置の関係を示した図である。
【図３０】図２７の操作処理項目群情報ファイルの構成図である。
【図３１】図２７の操作処理受付キーコード情報ファイルの構成図である。
【図３２】従来のプラント操作装置の構成図である。
【符号の説明】
【００９９】
１…座標入力装置
２…キー入力装置
３…計算機
４…表示出力装置
５…伝送装置
６…制御装置
７…操作端
８…座標入力装置座標入力手段
９…キー入力装置キー入力手段
１０…操作処理項目群有効判定通知手段
１１…操作処理項目群有効指標ファイル
１２…操作処理手段
１３…操作処理項目群情報ファイル
１４…操作手順更新手段
１５…操作処理項目群手順情報ファイル
１６…操作処理項目実行条件情報ファイル
１７…実行条件判定手段
１８…実行条件不成立処理項目群情報ファイル
１９…プロセス状態入力手段
２０…プロセス状態記憶ファイル
２１…プロセス入出力装置
２２…警告灯
２３…操作処理バイパス判定手段
２４…操作処理バイパス条件情報ファイル
２５…操作処理中断判定手段
２６…操作処理中断条件情報ファイル
２７…操作ウィンドウ表示手段
２８…操作ウィンドウ表示位置サイズ記憶ファイル
２９…相対座標変換手段
３０…操作処理受付キーコード情報ファイル
３１…キーコード変換情報記憶ファイル
３２…キーコード変換手段
【図１】
2006331462.tif 000003
【図２】
2006331462.tif 000004
【図３】
2006331462.tif 000005
【図４】
2006331462.tif 000006
【図５】
2006331462.tif 000007
【図６】
2006331462.tif 000008
【図７】
2006331462.tif 000009
【図８】
2006331462.tif 000010
【図９】
2006331462.tif 000011
【図１０】
2006331462.tif 000012
【図１１】
2006331462.tif 000013
【図１２】
2006331462.tif 000014
【図１３】
2006331462.tif 000015
【図１４】
2006331462.tif 000016
【図１５】
2006331462.tif 000017
【図１６】
2006331462.tif 000018
【図１７】
2006331462.tif 000019
【図１８】
2006331462.tif 000020
【図１９】
2006331462.tif 000021
【図２０】
2006331462.tif 000022
【図２１】
2006331462.tif 000023
【図２２】
2006331462.tif 000024
【図２３】
2006331462.tif 000025
【図２４】
2006331462.tif 000026
【図２５】
2006331462.tif 000027
【図２６】
2006331462.tif 000028
【図２７】
2006331462.tif 000029
【図２８】
2006331462.tif 000030
【図２９】
2006331462.tif 000031
【図３０】
2006331462.tif 000032
【図３１】
2006331462.tif 000033
【図３２】
2006331462.tif 000034